(57)【要約】【課題】蒸着マスクを構成する金属膜に配置されたアライメントマークの近傍に生じる応力を緩和すること。【解決手段】蒸着マスクは、フレームと、前記フレームに保持された金属膜と、を含み、前記金属膜は、第１開口部と、前記第１開口部の周囲に配置された複数の第２開口部を有し、前記第２開口部の最大幅は、前記第１開口部の最大幅よりも小さい。前記複数の第２開口部は、前記第１開口部の輪郭に沿って配置される。第１開口部の輪郭は、円形であってもよい。【選択図】図３
2019007069.tif 000002
【特許請求の範囲】
【請求項１】
フレームと、
前記フレームに保持された金属膜と、
を含み、
前記金属膜は、第１開口部と、前記第１開口部の周囲に配置された複数の第２開口部を有し、
前記第２開口部の最大幅は、前記第１開口部の最大幅よりも小さい、蒸着マスク。
【請求項２】
前記複数の第２開口部は、前記第１開口部の輪郭に沿って配置される、請求項１に記載の蒸着マスク。
【請求項３】
前記第１開口部に対し前記複数の第２開口部より外側に配置された複数の第３開口部をさらに有する、請求項１又は２に記載の蒸着マスク。
【請求項４】
前記複数の第３開口部は、前記複数の第１開口部の輪郭に沿って配置される、請求項３に記載の蒸着マスク。
【請求項５】
前記複数の第２開口部と前記複数の第３開口部は、前記第１開口部の輪郭に沿って時計回りまたは反時計回りに、互い違いに配置される、請求項３又は４に記載の蒸着マスク。
【請求項６】
前記複数の第２開口部は、前記第１開口部の縁から、前記第１開口部の最大幅よりも大きい距離だけ離れた位置に配置される、請求項１乃至５のいずれか一項に記載の蒸着マスク。
【請求項７】
前記第１開口部の輪郭は、円形である、請求項１乃至６のいずれか一項に記載の蒸着マスク。
【請求項８】
前記金属膜の膜厚は、５〜２０μｍである、請求項１乃至７のいずれか一項に記載の蒸着マスク。
【請求項９】
前記第１開口部は、アライメントマークである、請求項１乃至８のいずれか一項に記載の蒸着マスク。
【請求項１０】
前記第１開口部の最大幅は０．５ｍｍ以上である、請求項１乃至９のいずれか一項に記載の蒸着マスク。
【発明の詳細な説明】
【技術分野】
【０００１】
本発明は、蒸着マスクに関する。特に、電鋳で形成された金属膜に複数の開口部を備えた蒸着マスクに関する。
【背景技術】
【０００２】
従来、有機ＥＬ（エレクトロルミネセンス）材料を用いた表示装置（以下「有機ＥＬ表示装置」という。）の製造プロセスにおいては、有機ＥＬ材料で構成される薄膜の形成技術として蒸着法が用いられている。蒸着法を用いて有機ＥＬ材料で構成される薄膜を形成する場合、複数の微細な開口部を有する金属膜で構成された蒸着マスク（メタルマスクとも呼ばれる。）を用いる。具体的には、複数の画素（すなわち、有機ＥＬ材料を蒸着する領域）に対応して複数の開口部が形成された蒸着マスクを用いることにより、複数の画素に対して選択的に有機ＥＬ材料を蒸着することができる。
【０００３】
蒸着マスクは、金属板をエッチングして作製したり電鋳を用いて作製したりすることができる。特に、電鋳を用いて作製した蒸着マスクは、寸法精度に優れるため、高精度な薄膜形成には適している。そのため、例えば特許文献１では、有機ＥＬ表示装置の発光層等を構成する有機ＥＬ材料の蒸着に、電鋳を用いた蒸着マスクを用いている。
【先行技術文献】
【特許文献】
【０００４】
【特許文献１】特開２００６−１５２３９６号公報
【発明の概要】
【発明が解決しようとする課題】
【０００５】
蒸着マスクを用いた蒸着を行う際、蒸着マスクの位置とアレイ基板（複数の画素回路が形成された基板）の位置とを高精度に合わせる必要がある。このような位置合わせは、通常、アライメントマークを用いて行う。アライメントマークは、蒸着マスクとアレイ基板の両方に形成される。例えば、蒸着マスクには、アライメントマークとして開口部を形成し、アレイ基板には蒸着マスクと同じ形状のアライメントマークを形成しておく。そして、蒸着マスクの開口部の輪郭とアレイ基板のアライメントマークの輪郭とを合わせることにより、蒸着マスクとアレイ基板の位置合わせを行う。
【０００６】
この場合、電鋳を用いて作製された蒸着マスクにアライメントマークとして開口部を形成することになるが、電鋳を用いて作製された蒸着マスクは、金属膜で構成されているため、非常に薄い。したがって、アライメントマークとして形成された開口部の近傍に応力が集中し、金属膜が反ってしまう場合がある。
【０００７】
蒸着マスクのアライメントマークとアレイ基板のアライメントマークとの位置合わせは、カメラのオートフォーカス機構を利用して行われる。その際、アライメントマークの近傍が反っていると、オートフォーカス機構による焦点合わせが困難となり、アライメントマークを用いた位置合わせが出来なくなるという問題がある。
【０００８】
本発明は、上記問題に鑑みてなされたものであり、蒸着マスクを構成する金属膜に配置されたアライメントマークの近傍に生じる応力を緩和することを課題とする。
【課題を解決するための手段】
【０００９】
本発明の一実施形態における蒸着マスクは、フレームと、前記フレームに保持された金属膜と、を含み、前記金属膜は、第１開口部と、前記第１開口部の周囲に配置された複数の第２開口部を有し、前記第２開口部の径は、前記第１開口部の径よりも小さい。
【図面の簡単な説明】
【００１０】
【図１】第１実施形態の蒸着マスクの構成を示す平面図である。
【図２】第１実施形態の蒸着マスクにおけるマスク領域の一部を拡大した平面図である。
【図３】第１実施形態の蒸着マスクにおけるマスク領域の外側の一部を拡大した平面図である。
【図４】第１実施形態の蒸着マスクにおける第１開口部並びに複数の第２開口部及び第３開口部の一部を拡大した平面図である。
【図５】第２実施形態においてアライメントマークとして機能する第１開口部の近傍を拡大した平面図である。
【図６】第３実施形態においてアライメントマークとして機能する第１開口部の近傍を拡大した平面図である。
【発明を実施するための形態】
【００１１】
以下、本発明の実施形態について、図面等を参照しつつ説明する。但し、本発明は、その要旨を逸脱しない範囲において様々な態様で実施することができ、以下に例示する実施形態の記載内容に限定して解釈されるものではない。
【００１２】
また、図面は、説明をより明確にするため、実際の態様に比べ、各部の幅、厚さ、形状等について模式的に表される場合があるが、あくまで一例であって、本発明の解釈を限定するものではない。また、本明細書と各図において、既出の図に関して説明したものと同様の機能を備えた要素には、同一の符号を付して、重複する説明を省略することがある。
【００１３】
（第１実施形態）
＜蒸着マスクの構成＞
図１は、第１実施形態の蒸着マスク１００の構成を示す平面図である。蒸着マスク１００は、インバー等の金属部材で構成されたフレーム１０２と、フレーム１０２に設けられた複数の開口部１０２ａに保持された複数の金属膜１０４とを備える。
【００１４】
複数の金属膜１０４は、それぞれ個別の有機ＥＬ表示装置に対応して配置され、蒸着材料を遮るマスクとして機能する。金属膜１０４は、電鋳（Ｅｌｅｃｔｒｏｆｏｒｍｉｎｇ）を用いて作製された金属膜であり、例えばニッケル、ニッケル−コバルト合金、鉄−ニッケル合金、銅などの金属材料を用いたメッキ技術により作製することができる。金属膜の膜厚は、例えば５〜２０μｍの範囲とすればよい。
【００１５】
金属膜１０４は、マスク領域１０４ａを有する。マスク領域１０４ａは、蒸着対象となる有機ＥＬ表示装置の表示領域に対応した領域である。マスク領域１０４ａには、有機ＥＬ表示装置の表示領域に配置された各画素に対応した位置に複数の画素用開口部を有する。これら複数の画素用開口部は、各画素に対して選択的に有機ＥＬ材料を蒸着するための開口部である。ここで、マスク領域１０４ａの内側の一部（枠線１０６で囲まれた領域）を拡大した様子を図２に示す。
【００１６】
図２は、第１実施形態の蒸着マスク１００におけるマスク領域１０４ａの内側の一部を拡大した平面図である。図２に示されるように、枠線１０６で囲まれた領域において、金属膜１０４には、複数の画素用開口部１０７が設けられている。
【００１７】
画素用開口部１０７は、それぞれが個別の画素（有機ＥＬ表示装置の画素）の位置に対応して設けられる。なお、図２に示した金属膜１０４は、赤色、緑色又は青色のいずれかに発光するサブ画素の位置に対応した画素用開口部１０７を有しているが、他の色に発光するサブ画素に対応する場合は、画素用開口部１０７の位置が一列又は二列分ずれたものとなる。
【００１８】
また、図１において、金属膜１０４のうちマスク領域１０４ａの外側の領域には、アライメントマークが配置される。アライメントマークは、蒸着マスク１００と、複数の有機ＥＬ表示装置が形成されたマザーガラス（図示せず）との位置合わせを行うためのマークである。ここで、マスク領域１０４ａの外側の一部（枠線１０８で囲まれた領域）を拡大した様子を図３に示す。
【００１９】
図３は、第１実施形態の蒸着マスク１００におけるマスク領域１０４ａの外側の一部を拡大した平面図である。図３に示されるように、枠線１０８で囲まれた領域において、金属膜１０４には、第１開口部１１０が設けられている。本実施形態において、第１開口部１１０は、アライメントマークとして機能する開口部である。
【００２０】
本実施形態では、第１開口部１１０の輪郭が円形である場合を例示しているが、これに限らず、多角形、矩形、楕円形等であってもよい。ただし、第１開口部１１０の縁に生じる応力を極力抑えるためには、第１開口部１１０の輪郭は円形であることが望ましい。
【００２１】
さらに、本実施形態では、第１開口部１１０の周囲に複数の第２開口部１１２及び第３開口部１１４が配置されている。具体的には、第１開口部１１０の輪郭に沿って複数の第２開口部１１２が環状に配置される。
【００２２】
また、第１開口部１１０に対し第２開口部１１２より外側に、複数の第３開口部１１４が配置される。この場合、複数の第３開口部１１４についても、第１開口部１１０の輪郭に沿って環状に配置される。このとき、図３に示されるように、複数の第２開口部１１２と複数の第３開口部１１４は、第１開口部１１０の輪郭に沿って時計回り又は半時計回りに、互い違いに配置される。
【００２３】
複数の第２開口部１１２及び第３開口部１１４は、それぞれ第１開口部１１０の周囲に生じる応力を緩和する応力緩和部として機能する開口部である。
【００２４】
なお、本実施形態では、第１開口部１１０の輪郭が円形であるため、複数の第２開口部１１２及び第３開口部１１４の配列は環状となるが、例えば第１開口部１１０の輪郭が矩形であれば、複数の第２開口部１１２及び第３開口部１１４は、矩形に沿って配置すればよい。ただし、これは一例であって、第１開口部１１０の輪郭に沿わないように複数の第２開口部１１２及び第３開口部１１４を配置することも可能である。
【００２５】
図４は、第１実施形態の蒸着マスク１００における第１開口部１１０並びに複数の第２開口部１１２及び第３開口部１１４の一部を拡大した平面図である。図４に示されるように、第１開口部１１０の直径をＲ１、第２開口部１１２の直径をＲ２、第３開口部１１４の直径をＲ３としたとき、Ｒ１に比べてＲ２及びＲ３は小さい。具体的には、Ｒ２及びＲ３は、Ｒ１の半分以下の直径とすることが好ましい。
【００２６】
例えば、Ｒ１は、０．５ｍｍ以上１．５ｍｍ以下（好ましくは０．８ｍｍ以上１．２ｍｍ以下）とし、Ｒ２及びＲ３は、１５０μｍ以上２５０μｍ以下（好ましくは１８０μｍ以上２２０μｍ以下）とすることができる。本実施形態では、Ｒ１を１．０ｍｍとし、Ｒ２及びＲ３を２００μｍとする。なお、本実施形態では、Ｒ２とＲ３を同じ長さとしているが、これに限られるものではなく、Ｒ２とＲ３が異なる長さであってもよい。
【００２７】
なお、本実施形態では、第１開口部１１０、第２開口部１１２及び第３開口部１１４が円形であるため、これらの大きさを示すために「直径」という表現を用いたが、これは大きさを示す指標の一例に過ぎない。本明細書中では、各開口部の大きさを示す指標として「最大幅」という表現を用いる。ここで「最大幅」とは、開口部の輪郭上の２点を直線で結んだ際における最大の幅（最大の距離）である。つまり、第１開口部１１０、第２開口部１１２及び第３開口部１１４が円形である場合、その最大幅は直径に等しい。この例に従えば、第１開口部１１０、第２開口部１１２及び第３開口部１１４が、矩形、多角形、楕円形など、中心から輪郭までの距離が変化する図形であっても、大きさの指標として最大幅を用いれば相対的な比較が可能である。
【００２８】
また、図４に示されるように、複数の第２開口部１１２は、第１開口部１１０の縁から所定の距離Ｌ１だけ離れて配置される。所定の距離Ｌ１は、アライメント作業時において、オートフォーカス機構が、第１開口部１１０の周囲に配置された複数の第２開口部１１２及び第３開口部１１４を、第１開口部１１０として誤認識しないようにするために設けられている。所定の距離Ｌ１は、第１開口部１１０の直径（すなわち最大幅）以上の距離（本実施形態では、１．０ｍｍ以上）とすることが好ましいが、前述の誤認識を避けることができれば、特に制限はない。
【００２９】
複数の第２開口部１１２のうち隣接する第２開口部１１２の間の距離（具体的には、隣接する第２開口部１１２の中心間の距離）をＰ１とした場合、Ｐ１は、３００μｍ以上５００μｍ以下（好ましくは３５０μｍ以上４５０μｍ以下）の範囲で設定すればよい。また、第３開口部１１４のうち隣接する開口部の間の距離についても同様の範囲で設定すればよい。
【００３０】
以上のように、本実施形態では、金属膜１０４を蒸着用のマスクとして利用する蒸着マスク１００において、金属膜１０４に、アライメントマークとしての第１開口部１１０を設ける。その際、第１開口部１１０の周囲を囲むように、第１開口部１１０よりも径の小さい複数の開口部を設け、第１開口部１１０の近傍に生じる応力を緩和する。
【００３１】
金属膜１０４に発生する応力は、図１におけるフレーム１０２と金属膜１０４との境界付近から第１開口部１１０に近づくにつれて蓄積される。従来は、図３に示した第２開口部１１２及び第３開口部１１４に相当する開口部が存在しないため、第１開口部１１０の縁が応力によって反ってしまうという問題があった。特に、第１開口部１１０の径が０．５ｍｍ以上となる場合に、反りの問題が顕著であった。
【００３２】
しかしながら、本実施形態では、図３に示されるように第１開口部１１０の周囲に第２開口部１１２及び第３開口部１１４を設けることにより、フレーム１０２と金属膜１０４との境界から徐々に蓄積された応力が第２開口部１１２及び第３開口部１１４の配置された領域で緩和され、第１開口部１１０の縁まで伝達しない。つまり、金属膜１０４に対する垂線方向の撓みが解消され、第１開口部１１０の縁が反ってしまうという問題が発生しない。そのため、本実施形態によれば、第１開口部１１０をアライメントマークとして用いた正確な位置合わせが可能である。特に、本実施形態は、第１開口部１１０の直径が０．５ｍｍ以上である場合に有効である。
【００３３】
さらに、本実施形態のように、第１開口部１１０の周囲を第２開口部１１２及び第３開口部１１４で二重に囲み、第２開口部１１２及び第３開口部１１４を、第１開口部１１０の輪郭に沿って時計回り又は半時計回りに、互い違いに配置することが好ましい。このような構成とした場合、第１開口部１１０に向かって応力が伝達する経路を第２開口部１１２及び第３開口部１１４によって効率良く塞ぐことができるため、より応力緩和の効果が高まるからである。
【００３４】
なお、本実施形態では、第２開口部１１２及び第３開口部１１４を設け、第１開口部１１０の周囲を複数の開口部で二重に囲む構成とする例を示したが、第２開口部１１２及び第３開口部１１４のいずれか一方のみを設けた構成としてもよい。また、第１開口部１１０の周囲を複数の開口部で三重以上に囲む構成とすることも可能である。
【００３５】
（第２実施形態）
第２実施形態では、金属膜１０４に形成される開口部の形状を第１実施形態とは異なる形状とした例について説明する。なお、本実施形態では、第１実施形態の蒸着マスク１００との構成上の差異に注目して説明を行い、同じ構成については同じ符号を付して説明を省略することがある。
【００３６】
図５は、第２実施形態においてアライメントマークとして機能する第１開口部１１０の近傍を拡大した平面図である。本実施形態では、第１開口部１１０の周囲に、円弧に沿った形状の複数の第２開口部１１２ａ及び第３開口部１１４ａが配置されている。
【００３７】
このとき、第３開口部１１４ａは、隣接する第２開口部１１２ａの間隙に対応する位置に配置されている。すなわち、第３開口部１１４ａは、第１開口部１１０から見て、隣接する第２開口部１１２ａの間隙に重なる位置に配置されている。これにより、本実施形態の金属膜１０４は、第１開口部１１０に向かう応力の伝達経路が第２開口部１１２ａ及び第３開口部１１４ａによって塞がれた構成となっている。
【００３８】
以上の構成により、本実施形態では、フレーム１０２と金属膜１０４との境界から徐々に蓄積された応力が第２開口部１１２ａ及び第３開口部１１４ａの配置された領域でリセットされ、第１開口部１１０の縁まで伝達しない。したがって、第１開口部１１０の縁が反ってしまうという問題が発生しないため、第１開口部１１０をアライメントマークとして用いた正確な位置合わせが可能である。
【００３９】
（第３実施形態）
第３実施形態では、金属膜１０４に形成される開口部の形状を第１実施形態とは異なる形状とした例について説明する。なお、本実施形態では、第１実施形態の蒸着マスク１００との構成上の差異に注目して説明を行い、同じ構成については同じ符号を付して説明を省略することがある。
【００４０】
図６は、第３実施形態においてアライメントマークとして機能する第１開口部１１０の近傍を拡大した平面図である。本実施形態では、第１開口部１１０ａの輪郭が矩形であり、第１開口部１１０の周囲に、各辺に沿って複数の第２開口部１１２ｂ及び第３開口部１１４ｂが配置されている。本実施形態において、第２開口部１１２ｂ及び第３開口部１１４ｂは、長方形もしくはＬ字形の例を示しているが、正方形であってもよい。
【００４１】
第３開口部１１４ｂは、隣接する第２開口部１１２ｂの間隙に対応する位置に配置されている。すなわち、第３開口部１１４ｂは、第１開口部１１０ａから見て、隣接する第２開口部１１２ｂの間隙に重なる位置に配置されている。これにより、本実施形態の金属膜１０４は、第１開口部１１０ａに向かう応力の伝達経路が第２開口部１１２ｂ及び第３開口部１１４ｂによって塞がれた構成となっている。
【００４２】
以上の構成により、本実施形態では、フレーム１０２と金属膜１０４との境界から徐々に蓄積された応力が第２開口部１１２ｂ及び第３開口部１１４ｂの配置された領域でリセットされ、第１開口部１１０ａの縁まで伝達しない。したがって、第１開口部１１０ａの縁が反ってしまうという問題が発生しないため、第１開口部１１０ａをアライメントマークとして用いた正確な位置合わせが可能である。
【００４３】
本発明の実施形態として上述した各実施形態は、相互に矛盾しない限りにおいて、適宜組み合わせて実施することができる。また、各実施形態の蒸着マスクを基にして、当業者が適宜構成要素の追加、削除もしくは設計変更を行ったもの、又は、工程の追加、省略もしくは条件変更を行ったものも、本発明の要旨を備えている限り、本発明の範囲に含まれる。
【００４４】
また、上述した各実施形態の態様によりもたらされる作用効果とは異なる他の作用効果であっても、本明細書の記載から明らかなもの、又は、当業者において容易に予測し得るものについては、当然に本発明によりもたらされるものと解される。
【符号の説明】
【００４５】
１００…蒸着マスク、１０２…フレーム、１０２ａ…開口部、１０４…金属膜、１０４ａ…マスク領域、１０７…画素用開口部、１１０、１１０ａ…第１開口部、１１２、１１２ａ、１１２ｂ…第２開口部、１１４、１１４ａ、１１４ｂ…第３開口部
【図１】
2019007069.tif 000003
【図２】
2019007069.tif 000004
【図３】
2019007069.tif 000005
【図４】
2019007069.tif 000006
【図５】
2019007069.tif 000007
【図６】
2019007069.tif 000008